(57)【特許請求の範囲】
【請求項１】
第１引戸上にワイヤーを往復回動可能に巻装し、そのワイヤーの通路開口に対して内側の直線索条部を隣接した第２引戸に連結する一方、ワイヤーの外側の直線索条部をワイヤー高さ調整手段により上枠のまぐさ位置に連結し、第１引戸が開閉方向に走行すると、第２引戸が連動して走行するワイヤー連動式引戸装置において、
前記ワイヤー高さ調整手段は、ワイヤーの両端を連結した接続媒体と該接続媒体を保持するワイヤーホルダを備え、
該ワイヤーホルダは、前記上枠のまぐさ位置に固定する固定ブロックと前記接続媒体を抱持するホルダ部とで形成し、
該ホルダ部は、前記接続媒体の長さ方向左右と厚さ方向前後の動きを規制する規制部位を有する一方、幅方向上下には可動に前記接続媒体を抱持する形状をなすことを特徴とする、ワイヤー連動式引戸装置。
【請求項２】
前記ホルダ部は、前記規制部位を、前記固定ブロックから下向きに延びる規制板部と、該規制板部を間に挟んだ両側で屈曲して延びる一対の規制アームとで形成し、それら規制アームを、前記接続媒体の長さに合わせて間隔を置いて設け、前記規制板部より一段厚肉に形成し、該規制板部と前記規制アームの間に前記接続媒体の長さ方向左右の動きを規制する段差を形成し、厚さ方向前後の動きを前記規制板部と他部材とで挟んで規制することを特徴とする、請求項１に記載のワイヤー連動式引戸装置。
【発明の詳細な説明】
【技術分野】
【０００１】
本発明は、第１の引戸が開閉方向に走行すると、第１の引戸とワイヤーを用いて連結した隣接の第２の引戸を連動して通路開口を開閉するワイヤー連動式引戸装置に関する。
【背景技術】
【０００２】
一般に、この種の連動式の引戸は、開けたときに間口の開口面積を比較的広く確保できるため、例えば車椅子やストレッチャーやベットが通過する病院や介護施設のトイレや手術室などに、好んで設置されている。
【０００３】
例えば２枚の引戸を備えたワイヤー連動式引戸装置では、一般に、各引戸の上端面の戸先側と戸尻側に戸車吊金具を搭載するが、第１の引戸に搭載した戸車吊金具には、取付板で戸車を縦向きに軸支した吊戸車体を備える一方、滑車を横向きに軸支し、これら滑車間にワイヤーを往復回動可能に巻装する。ワイヤーは、一端を上枠のまぐさ位置に取り付けた継手に固着すると共に、外側の直線ワイヤー部を、隣接した第２の引戸に取り付けた継手に固着して２枚の引戸を連動可能に連結していた。
【０００４】
開閉時は、上枠の下面に固着した２本の引戸レールの片側レールに係合した戸車を転動しながら第１の引戸が走行すると、ワイヤーを回動させながら、続いて第２の引戸が連動して他側レールを走行する構造になっている（特許文献１参照）。
【先行技術文献】
【特許文献】
【０００５】
【特許文献１】特開平１−１６５８９４号公報
【発明の概要】
【発明が解決しようとする課題】
【０００６】
ところが、従来のワイヤー連動式引戸装置では、第１の引戸上の滑車間にループ状に巻装したワイヤーは、内側の直線ワイヤー部を上枠のまぐさ位置に取り付けた継手にビスや止めねじを使って固着すると共に、外側の直線ワイヤー部を隣接した第２の引戸に取り付けた継手に固着して２枚の引戸を連動可能に連結するが、ビス止めやねじ締め作業は熟練度に応じて出来上がりにバラツキを生じてしまうという課題があった。
【０００７】
また、従来、内側の直線ワイヤー部を、上枠のまぐさ位置に取り付けた継手にビスや止めねじ等の工具を使用して行うビス止めやねじ締め作業は、誤って引っ掛けやすいワイヤーが巻装されている中では簡単でなく、手間と時間を要するという課題があった。
【０００８】
そこで、本発明の目的は、引戸上に巻装したワイヤーを、上枠のまぐさ位置に工具を使用して作業するビス止めやねじ締めの出来上がりに熟練度に応じてバラツキを発生せず、手間なく簡単に行うワイヤー連動式引戸装置を提供することにある。
【課題を解決するための手段】
【０００９】
従って、上述した課題を解決すべく、請求項１に記載の発明は、たとえば以下に示す図示実施の形態のとおり、第１引戸Ａ上にワイヤーｗを往復回動可能に巻装し、そのワイヤーｗの通路開口Ｓに対して内側の直線索条部ｗ１を隣接した第２引戸Ｂに連結する一方、ワイヤーｗの外側の直線索条部ｗ１をワイヤー高さ調整手段Ｋにより上枠Ｆのまぐさ位置に連結し、第１引戸Ａが開閉方向に走行すると、第２引戸Ｂが連動して走行するワイヤー連動式引戸装置において、前記ワイヤー高さ調整手段Ｋは、ワイヤーｗの両端を連結した接続管６５のような接続媒体と該接続媒体を保持するワイヤーホルダ６を備え、該ワイヤーホルダ６０は、前記上枠Ｆのまぐさ位置に固定する固定ブロックと前記接続媒体を抱持するホルダ部６２とで形成し、該ホルダ部６２は、前記接続媒体の長さ方向左右と厚さ方向前後の動きを規制する規制部位を有する一方、幅方向上下には可動に前記接続媒体を抱持する形状をなすことを特徴とする。
【００１０】
請求項２に記載の発明は、請求項１に記載のワイヤー連動式引戸装置において、たとえば以下に示す図示実施の形態のとおり、前記ホルダ部６２は、前記規制部位を、前記固定ブロック６１から下向きに延びる規制板部６２ａと、該規制板部６２ａを間に挟んだ両側で屈曲して延びる一対の規制アーム６２とで形成し、それら規制アーム６２を、前記接続媒体の長さに合わせて間隔を置いて設け、前記規制板部６２ａより一段厚肉に形成し、該規制板部６２ａと前記規制アーム６２の間に、前記接続媒体の長さ方向左右の動きを規制する段差３９を形成し、厚さ方向前後の動きを前記規制板部６２ａと上枠Ｆ等の他部材とで挟んで規制することを特徴とする。
【発明の効果】
【００１１】
従って、本発明によれば、引戸上に巻装したワイヤーの高さを引戸の吊り込み高さに連動し、引戸の吊り込み高さが変動すると、その引戸の高さに追従してワイヤーの高さも自動的に変動し、その結果、引戸高さの調整のたびに面倒なビス止めやねじ締め作業ワイヤーの高さの調整作業も必要でなくなり、上枠のまぐさ位置に工具を使用して作業するビス止めやねじ締めの出来上がりに熟練度に応じてバラツキを発生せず、手間なく簡単にワイヤーの高さ調整を行うことができる。
【図面の簡単な説明】
【００１２】
【図１】本発明の一例であるワイヤー連動式引戸装置を搭載した連動引戸を、引戸レールを省略した全開状態において示す斜視図である。
【図２】図１と向きを変えて同じ連動引戸を、引戸レールを省略した連動引戸の全開状態において示す斜視図である。
【図３】ワイヤー連動式引戸装置を搭載した連動引戸を、引戸レールを省略した全閉状態において示す斜視図である。
【図４】図３と向きを変えて同じ連動引戸を、引戸レールに吊り込んだ全閉状態において示す斜視図である。
【図５】ワイヤー連動式引戸装置を搭載した連動引戸を引戸レールの吊り込み状態において示す部分拡大縦断面図である。
【図６】連動引戸に搭載したワイヤー連動式引戸装置を示す部分拡大斜視図である。
【図７】第２引戸に搭載したワイヤー連動式引戸装置を示す部分拡大斜視図である。
【図８】ワイヤー連動式引戸装置の係着手段を示す分解斜視図である。
【図９】係着手段を示す組立斜視図である。
【図１０】係着手段を示す正面図である。
【図１１】係着手段を示す平面図である。
【図１２】係着手段を示す側面図である。
【図１３】係着手段の昇降操作部による係着具の昇降動作を示す側面図である。
【図１４】ワイヤージョイント手段を示す分解斜視図である。
【図１５】図１４と向きを変えてワイヤージョイント手段を示す分解斜視図である。
【図１６】ワイヤージョイント手段の動作を示す横断面図である。
【図１７】ワイヤー高さ調整手段を示す分解斜視図である。
【図１８】図１７と向きを変えてワイヤー高さ調整手段を示す分解斜視図である。
【図１９】係着手段による引戸の吊り込み動作を段階的に示す側面図である。
【図２０】ワイヤージョイント手段によりワイヤーを第２引戸の取付吊金具に連結する動作を段階的に示す横断面図である。
【図２１】ワイヤー高さ調整手段によりワイヤーを上枠のまぐさ位置に固定した引戸の上側を引戸レールを省略して示す斜視図である。
【図２２】ワイヤー高さ調整手段によりワイヤーを上枠のまぐさ位置に固定した引戸の上側を引戸レールを省略せずに示す斜視図である。
【図２３】係着手段の昇降操作部による係着具の昇降動作を示す正面図である。
【発明を実施するための形態】
【００１３】
以下、図面を参照しつつ、本発明の実施の形態について説明する。
【００１４】
図１〜図４に連動引戸に搭載した本発明の一例であるワイヤー連動式引戸装置を示す。図示例のワイヤー連動式引戸装置は、それぞれパネル状の第１引戸Ａと第２引戸Ｂの２枚の連動引戸を連動して通路開口Ｓを開閉する２連片引型吊戸装置である。連動引戸Ａ・Ｂは、天井側の上枠Ｆと、片側の戸袋壁Ｗと、他側の立枠Ｃとで矩形に通路開口Ｓを枠付し、上枠Ｆに固定した引戸レールＬに吊り込む。
【００１５】
図示例のワイヤー連動式引戸装置は、第１引戸Ａ上の戸先と戸尻の両端に同一構造の吊戸車体ｘを搭載し、第２引戸Ｂ上の戸先と戸尻の両端には同一構造の吊戸車体ｙを搭載する。
【００１６】
第１引戸Ａの吊戸車体ｘは、それぞれ下部側の取付吊金具ａと上部側の戸車ユニットｂとで構成する。取付吊金具ａは、第１引戸Ａの上端面に固定する細長い取付プレート１０を備える。
【００１７】
取付プレート１０は、図５および図６に示すように、先端部１０ａをＬ板状に曲げ起こし、中央部に略長方形の取付穴１２を設け、先端部１０ａ近くにおいて滑車１３を、車軸を長穴に係合して長さ方向に移動可能に可動板１４上に載せて回転自在に軸着する。可動板１４は、端部をＬ状に曲げ起こした軸受片部１４ａを形成し、軸受片部１４ａに、取付プレート１０の先端部１０ａの通穴を挿通した調整ボルト３１の先端を固着する。調整ボルト３１は、基端に調整ナット１６を螺着し、調整ナット１６と取付プレート１０の先端部１０ａ間に巻装した圧縮コイルばね１７を挟んで先端を軸受片部１４ａに固着する。従って、調整ナット１６を回動して調整ボルト３１に対する捩じ込み量を調節すると、滑車１３を可動板１４を介して移動し、滑車１３間に巻き回すワイヤーｗの張り具合が調整される。
【００１８】
他方、戸車ユニットｂは、戸車ブラケット１８の一対の側板部１８ａ間に車軸１９を懸架して一対の戸車１７を回転自在に支持し、戸車ブラケット１８の上で回転自在に枢支する一方、戸車ブラケット１８の底板部の中央に、基端に有するねじ部をカシメて固着した吊軸１５を垂下する。底板部には、長手方向両端から直角に屈曲させて吊軸１５と平行に延びる操作片１８ｃを有する。
【００１９】
第２引戸Ｂの吊戸車体ｙは、図７に示すように、それぞれ下部側の取付吊金具ｍと、第１引戸Ａと同じ構造の上部側の戸車ユニットｂとで構成する。取付吊金具ｍは、第２引戸Ｂの上端面に固定する細長い取付プレート２０を備える。取付プレート２０は、調節穴２１を有する先端部２０ａをＬ板状に屈曲し、中央部に略長方形の取付穴２２を設ける。
【００２０】
吊戸車体ｘ・ｙにおいて、下部側の取付吊金具ａ・ｍは、図５、図６および図７に示すように、それぞれ第１引戸Ａと第２引戸Ｂ上の戸先と戸尻の両端に、取付プレート１０・２０の先端部１０ａ・２０ａが互いに離隔する逆向きに取り付ける。一方、上部側の４台の戸車ユニットｂは引戸レールＬ内に装架する。
【００２１】
引戸レールＬは、図４および図５に示すように、上枠Ｆに下向きに固定する一対の固定レール２４・２５からなる。固定レール２４・２５は、それぞれ図中下面の長さ方向に逃げ溝２３を切ったチャネル形状に押出し成形し、逃げ溝２３の両側に戸車１７を係合する走行路２６を形成する。
【００２２】
そこで、連動引戸Ａ・Ｂを上枠Ｆに吊り込む場合は、予め戸車ユニットｂを２台ずつ固定レール２４・２５内に、それぞれ走行路２６に戸車１７を係合させて装架する。一方、第１引戸Ａの上には、図１および図２に示すように、ワイヤーｗを滑車１３間にループ状に巻き掛けてから、両引戸Ａ・Ｂの上の両端にそれぞれ取り付けた取付吊金具ａ・ｍを、固定レール２４・２５内に装架した戸車ユニットｂに、係着手段Ｔにより連結して両引戸Ａ・Ｂを吊持し、通路開口Ｓに対して内側のワイヤーｗの直線索条部ｗ１を、ワイヤージョイント手段Ｊにより第２引戸Ｂ上の戸尻側の取付吊金具ｍに連結する。他方、ワイヤーｗの外側の直線索条部ｗ２は、ワイヤー高さ調整手段Ｋにより上枠Ｆの所定まぐさ位置に連結してワイヤーｗを往復回動可能に巻装し、両引戸Ａ・Ｂを連動して往復移動可能に連結する構造になっている
【００２３】
係着手段Ｔは、図８、図９および図１０に示すように、その構成に戸車ユニットｂに垂下した吊軸１５を含み、連動引戸Ａ・Ｂの上端面の戸先と戸尻両端にそれぞれ掘り込む掘込ケース２７と、掘込ケース２７に収納して吊軸１５を係脱可能に係着する係着具２８と、係着具２８を昇降させて高さ位置を調節する昇降操作部２９を備える。
【００２４】
吊軸１５は、細い円柱状で、先端部１５ａ近傍の外周に係止溝１５ｂを凹設する。掘込ケース２７は、両引戸Ａ・Ｂの戸厚より狭幅な長尺箱状をなし、長さ方向基端側には、取付プレート１０・２０の取付穴１２・２２に対応し、仕切壁２７ａで仕切って上側開口の収納室３０を形成する。
【００２５】
係着具２８は、収納室３０に内装する支持ブラケット３２と、支持ブラケット３２で回動自在に支持する係着アーム３３と、係着アーム３３を一方向に回動付勢するねじりコイルばねの付勢ばね３４を備える。
【００２６】
支持ブラケット３２は、金属板を折り曲げて、間に係着アーム３３の回動領域を形成する一対の支持板部３２ａと、それら支持板部の一端上縁を結ぶ直角な軸受板部３２ｂを有する。支持板部３２ａには、それぞれ上縁中央部を円弧形に切り欠いて係着アーム３３の動作を見せる視認窓３６を形成し、視認窓３６の一側の軸受板部３２ｂには、視認窓３６側の端縁に係止凹部３５を形成する。係止凹部３５は、戸車ユニットｂに垂下した吊軸１５の先端部１５ａにおける軸径より小さい半径の半円状に切り欠いてなる。視認窓３６の他側のヒンジ板部３２ｃは、係止凹部３５を有する軸受板部３２ｂより高く形成し、軸受板部３２と略同じ高さ位置にそれぞれピン穴３７を設ける。
【００２７】
係着アーム３３は、樹脂製で、吊軸１５の先端部１５ａを押し当てる滑り台３９と、滑り台３９の長さ方向基端に枢軸ピン３８を枢着する枢着部３３ａを形成する一方、先端に滑り台３９の摺動面３９ａより一段低い押当段部３３ｂを形成する。押当段部３３ｂは、摺動面３９ａとの段差部分を吊軸１５の細い円柱形状に対応して湾曲面で形成する。枢着部３３ａは、間にばね収納空間４１を挟んで一対の支持片３３ｃを突設し、それら支持片にピン穴４２を設ける。
【００２８】
そこで、係着手段Ｔは、図９および図１０に示すように、係着アーム３３のばね収納空間４１に付勢ばね３４のコイル部３４ａを配し、ヒンジ板部３２ｃ間においてピン穴４２を同一軸線上に揃えて枢軸３８を挿通し、係着アーム３３を支持板部３３ａ間で回動可能に支持ブラケット３２で支持し、付勢ばね３４の一端３４ｂを係着アーム３３の底部に掛け止めて係着具２８を組み立てる。
【００２９】
係着具２８は、支持ブラケット３２の係止凹部３５を基端側にして掘込ケース２７の収納室３０内で鉛直方向上下にのみ昇降自在に嵌着する。そのとき、係着具２８は、一端３４ｂを係着アーム３３の底部に掛け止めた付勢ばね３４の他端３４ｃを、掘込ケース２７の仕切壁２７ａに掛け止め、係着アーム３３を、付勢ばね３４のばね付勢力により先端の押当段部３３ｂが押し上がる方向に回動付勢し、押当段部３３ｂを、係止凹部３５と重なる位置で支持ブラケット３２の軸受板部３２ｂに押し当て、係着アーム３３を、滑り台３９の先端側に向かうに従い次第に摺動面３９ａが低くなる傾き角度位置で保持する。
【００３０】
昇降操作部２９は、図９〜図１２に示すように、係着具２８を昇降する主たる手段のねじ軸４５と、ねじ軸４５に装着するスライダ４６とを備え、掘込ケース２７の戸先側の端板部２７ｂに操作穴４４を設け、収納室３０のある対向側板部２７ｃに回転規制穴４７を設け、支持ブラケット３２の支持板部３２ａにスライダ４６の両端４６ａが係合するガイド穴４８を設ける。回転規制穴４７は、対向側板部２７ｃの長さ方向に沿って横に長く係着具２８の昇降ストロークに対応する所定長さの長穴により形成する。ガイド穴４８は、回転規制穴４７と同じ長さ範囲において、係着具２８の高さ位置が上昇する方向にスライダ４６が直線移動すると、それに従い次第に下向きに傾斜した長穴により形成する。スライダ４６は、掘込ケース２７の回転規制穴４７に両端４６ａを係合可能な長さの短軸状で、中心に雌ねじ穴が横断的に貫通する。
【００３１】
そこで、昇降操作部２９は、戸先側の端板部２７ｂに開いた操作穴４４から掘込ケース２７内にねじ軸４５を挿入し、予め両端４６ａをガイド穴４８および回転規制穴４７に横架したスライダ４６の雌ねじ穴に螺合し、ねじ頭部４５ａを操作穴４４に嵌め込む一方、戸尻側の端板部２７ｄを貫挿したねじ先端部４５ｂに軸受ナット５１を螺着することにより両端板部２７ｂ・２７ｄ間で正逆回転可能に軸支する。
【００３２】
従って、昇降操作部２９では、図１３（ａ）に示すように、ねじ軸４５を回転すると、スライダ４６は、両端４６ａがそれぞれ固定の回転規制穴４７・４７に係合するゆえに回転を規制されてねじ軸４５上を回転規制穴４７の長さ範囲にわたり正逆の回転方向に応じて直線往復移動する一方、直線往復移動するとき、スライダ４６は、両端４６ａを係着具２８のガイド穴４８にも係合するから、図１３（ｂ）に示すように、スライダ４６が直線移動する間その傾斜方向に従い上下して係着具２８を昇降させることにより高さ位置が調整される構造になっている。
【００３３】
ワイヤージョイント手段Ｊは、図１４、図１５および図１６に示すように、ワイヤーｗに固着した磁性体からなる円筒状連結管５２と、連結管５２を磁着する矩形板状のマグネットＭと、磁着した連結管５２を固持するマグネットキャッチ５０を備え、取付吊金具ｍの取付プレート２０には、中央部において曲げ起こし先端部２０ａに向けて長さ方向に¬状に切起こして押え片２０ｂを形成し、先端部２０ａに調節穴２１を設ける。
【００３４】
即ち、ワイヤージョイント手段Ｊは、取付プレート２０の先端部２０ａにマグネットキャッチ５０を固定する止めねじ１１を通す調節穴２１を設け、調節穴２１は、第１引戸Ａの戸厚サイズに応じて止めねじ１１を通す位置を調整可能な戸厚方向に横長な穴、例えばダルマ穴からなる。
【００３５】
連結管５２は、ワイヤーｗの両端部を圧着して繋ぐことによりエンドレスに形成する。マグネットキャッチ５０は、取付プレート２０上にねじ止めする本体ブロック５５と、本体ブロック５５の側面片側から張り出して設けるワイヤー吸着部５６とを樹脂で一体成形する。本体ブロック５５は、これを搭載する引戸の戸厚に対応した幅サイズの略矩形な角塊状をなし、長さ方向一側の端面に幅方向に掛け止め凹溝５５ａを形成し、他側の端面に雌ねじ穴５７を螺設する。
【００３６】
ワイヤー吸着部５６は、側面に連結管５２の円筒形状に合わせて半円筒状の嵌め込み穴５９を凹設する。嵌め込み穴５９には、その穴底にマグネットＭを装着する段付き凹部５９ａを形成する。そこで、マグネットキャッチ５０は、嵌め込み穴５９の段付き凹部５９ａにマグネットＭを差し込んで装着する。
【００３７】
嵌め込み穴５９は、本体ブロック５５を取付プレート２０上に固定したとき、マグネットＭをワイヤーｗの片側の前記直線索条部ｗ１に向けて開口し、ワイヤーｗが中心を貫挿した連結管５２が嵌め込まれたとき、連結管５２の動きを拘束する深さに穿設する。従って、マグネットキャッチ５０は、ワイヤーｗが中心を貫挿した連結管５２が嵌め込み穴５９内に嵌め込まれたとき、磁着した連結管５２を嵌め込み穴５９内に機械的に抱き込んで固持する構成になっている。
【００３８】
ワイヤージョイント手段Ｊは、第２引戸Ｂ上の戸尻側に組み付ける取付プレート２０上にマグネットキャッチ５０を取り付ける。マグネットキャッチ５０は、第２引戸Ｂを吊り込むときに、隣接する第１引戸Ａ上で滑車１３間に巻装するワイヤーｗの内側の直線索条部ｗ１とマグネットＭが対向する側にワイヤー吸着部５６に向けて、本体ブロック５５を取付プレート２０上に載せて掛け止め凹溝５５ａに押え片２０ｂを掛け止め、長さ方向他側の端面を止めねじ１１で先端部２０ａにねじ止めする。
【００３９】
そこで、図示ワイヤー連動式引戸装置は、図１〜図５に示すように、吊戸車体ｘにおいて、下部側の取付吊金具ａは、係着手段Ｔを、昇降操作部２９に備えるねじ軸４５のねじ頭部４５ａが第１引戸Ａの縦框から覗く逆向きにして、上端面の両端に掘り込みし、次いで、取付プレート１０を、先端部１０ａを互いに離隔する逆向きにして取り付ける。
【００４０】
一方、吊戸車体ｙにおいて、取付吊金具ｍは、係着手段Ｔを、昇降操作部２９に備えるねじ軸４５のねじ頭部４５ａが第２引戸Ｂの上端面の両端に掘り込みし、次いで、取付プレート２０を、先端部２０ａが互いに離隔する逆向きにして取り付ける。
【００４１】
ワイヤー高さ調整手段Ｋは、図１７および図１８に示すように、ワイヤーｗの両端部を圧着して連結した円筒状の接続管（接続媒体）６５と、接続管６５を嵌め入れてワイヤーｗを固持するワイヤーホルダ６０を備える。接続管６５は、ワイヤーｗの両端部を圧着して繋ぐことによりエンドレスに形成する。
【００４２】
ワイヤーホルダ６０は、上枠Ｆのまぐさ位置に固定する固定ブロック６１と、接続管６５を保持するホルダ部６２とを樹脂で一体成形する。固定ブロック６１は、全体にやや細長な矩形ブロック状をなし、図中上下の幅方向下側に図中左右の長さ方向に沿って、第１引戸Ａ上で滑車１３間に巻装するワイヤーｗの直線索条部ｗ２が通る通路６３を凹設し、厚さ方向一側の背面にフラットな取付面６１ａを形成し、取付面６１ａの幅方向下縁を切り欠いて通路６３と通ずる接続管６５の挿入口６４を設け、厚さ方向にねじ貫通穴６６を設ける。
【００４３】
ホルダ部６２は、固定ブロック６１の厚さ方向他側の正面と面一に下向きに延びる規制板部６２ａと、規制板部６２ａを間に挟んだ両側に側面視Ｊ形に屈曲して延びる一対の規制アーム６２ｂとで接続管６５の動きを規制する規制部位を形成している。規制アーム６２ｂは、接続管６５の長さに対応した間隔をあけて規制板部６２ａより一段厚肉に形成し、規制板部６２ａとの間に、嵌め入れる接続管６５の長さ方向左右の動きを規制する段差６７を設けると共に、先端屈曲部分６２ｃ・６２ｃが挿入口６４近くまで高く立ち上げる規制形状に形成する。
【００４４】
そこで、ワイヤー高さ調整手段Ｋは、図２１および図２２に示すように、第１引戸Ａを固定レール２４に吊り込むとき、ワイヤーｗの外側の直線索条部ｗ２と対向する高さ位置、即ち、上枠Ｆの所定まぐさ位置にワイヤーホルダ６０を固定する。そのとき、ワイヤーホルダ６０は、ワイヤーｗ上の接続管６５を挿入口６４からホルダ部６２内の規制アーム６２ｂ間に嵌め入れてから、規制アーム６２ｂを所定まぐさ位置に向けて、固定ブロック６１をねじ貫通穴６６に止めねじ６９を通して上枠Ｆにねじ止めする。
【００４５】
ワイヤー高さ調整手段Ｋでは、ホルダ部６２は、ワイヤーｗの外側の直線索条部ｗ２と平行な長さ方向左右の動きを段差６７で規制し、厚さ方向前後の動きを規制板部６２ａと上枠Ｆとで挟んで規制する一方、幅方向上下のワイヤーｗの高さ方向には、規制板部６２ａに沿って上下方向に可動に接続管６５を保持する構成にする。
【００４６】
さて、図示実施例において、連動引戸Ａ（Ｂ）を上枠Ｆの固定レール２４（２５）に吊り込む場合は、引戸Ａ（Ｂ）を持ち上げて、図１９（ａ）に示すように、吊軸１５に係着アーム３３の摺動面３９ａを近づけて、同図（ｂ）に示すように、摺動面３９ａを吊軸１５の先端部１５ａに下方から押し当てる。すると、そのとき、係着アーム３３は、滑り台３９の長さ方向先端の押当段部３３ｂ側に向かうに従い次第に摺動面３９ａが低くなる傾き角度位置に保持するから、同図（ｃ）に示すように、戸車ユニットｂは、摺動面３９ａの傾斜に従って吊軸１５の先端部１５ａが、摺動面３９ａを滑り降りながら、引戸Ａ（Ｂ）の戸尻側に向けて固定レール２４（２５）を走行し、吊軸１５の係止溝２５に軸受板部３２ｂの係止凹部３５が係止し、同図（ｄ）に示すように、係着アーム３３先端の押当段部３３ｂと支持ブラケット３２の軸受板部３２ｂとの間に吊軸１５の先端部１５ａが嵌り込み、その先端部１５ａを係止凹部３５と押当段部３３ｂとで挟んだ押し当て状態で係着具２８を吊軸１５に係着し、引戸Ａ（Ｂ）を上枠Ｆに固定レール２４・２５の走行路２６に沿って走行可能に吊持する。
【００４７】
従って、図示例では、引戸Ａ（Ｂ）の吊り込みは、引戸Ａ（Ｂ）を持ち上げて、係着アーム３３の滑り台３９を戸車ユニットｂの吊軸１５の先端部１５ａに押し当てる操作をするだけでよく、後は、吊軸１５の先端部１５ａがそのまま傾斜した摺動面３９ａを滑り降りて先端の押当段部３３ｂを弾発的に押し当てた状態で取付吊金具ａ・ｍを吊軸１５にワンタッチで係着し、ドライバーやレンチ等の工具を使用することなく、引戸Ａ（Ｂ）を手間なく上枠Ｆに簡単に吊設することができる。
【００４８】
尚、必要に応じて、吊り込んだ引戸Ａ（Ｂ）を上枠Ｆから取り外す場合にも、手で上から摺動面３９ａを押して係着アーム３３を付勢ばね３４の付勢力に抗して回動し、先端の押当段部３３ｂを係着位置から押し下げて先端部１５ａに弾発的に押し当てた状態から解除し、その間に操作片１８ｃを摘んで、戸車ユニットｂを、吊軸１５の係止溝１５ｂが係着アーム３３の係止凹部３５から外れる戸先側に向けて走行させる操作をするだけで、ドライバーやレンチ等の工具を使用することなく、取付吊金具ａ・ｍを吊軸１５からワンタッチで取り外し、引戸Ａ（Ｂ）を手間なく上枠Ｆから簡単に取り下ろすことができる。
【００４９】
それから、図示ワイヤー連動式引戸装置では、第１引戸Ａ上の両端にそれぞれ取り付けた取付吊金具ａ・ｍを戸車ユニットｂの吊軸１５に係着して引戸Ａ（Ｂ）を上枠Ｆに吊り込むときに、第１引戸Ａの上で滑車１３間に巻き掛けたワイヤーＷの直線索条部ｗ１を、ワイヤージョイント手段Ｊにより第２引戸Ｂ上の戸尻側の取付吊金具ｍに連結し、ワイヤーｗの外側の直線索条部ｗ２は、ワイヤー高さ調整手段Ｋによって上枠Ｆの所定まぐさ位置に連結し、全体にワイヤーｗを往復回動可能に巻装する。
【００５０】
第１引戸Ａ上に巻装したワイヤーＷの直線索条部ｗ１を、第２引戸Ｂ上の取付吊金具ｍに連結するときは、図２０（ａ）に示すように第２引戸Ｂを移動し、第２引戸Ｂ上のマグネットキャッチ５０のワイヤー吸着部５６が、同図（ｂ）に示すようにワイヤーｗの直線索条部ｗ１に固着した磁性体の連結管５２に近づくと、ワイヤージョイント手段Ｊが働いてマグネットＭの磁力が作用して連結管５２を吸引して嵌め込み穴５９内に磁気的に吸着すると同時に機械的に嵌り込んで固持する。
【００５１】
従って、図示例では、引戸Ａ（Ｂ）の吊り込み時、ワイヤーｗを第２引戸Ｂの取付吊金具ｍに連結するときは、第２引戸Ｂを移動させてマグネットキャッチ５０のワイヤー吸着部５６を連結管５２に近づける操作をするだけでよく、その後は、上述のようにワイヤージョイント手段ＪによりマグネットＭの磁力が作用して連結管５２を吸引して嵌め込み穴５９内に磁気的に吸着すると同時に機械的に嵌り込んで固持し、そのように自動的にワイヤーｗの片側の直線索条部ｗ１を隣接する第２引戸Ｂに自動的に連結される。
【００５２】
図示ワイヤー連動式引戸装置では、そのように引戸を移動してマグネットキャッチ５０のワイヤー吸着部５６を連結管５２に近づける操作だけでよく、その後は、ワイヤーｗの内側の直線索条部ｗ１を隣接した第２引戸に自動的に連結され引戸上の滑車間に巻装したワイヤーを隣接した引戸に連結する作業を熟練度により出来上がりにバラツキを生じず、手間なく簡単にすることができる。
【００５３】
しかも、図示ワイヤー連動式引戸装置では、マグネットキャッチ５０の嵌め込み穴５９にワイヤーｗが中心を貫挿した連結管５２が嵌め込まれたとき、マグネットＭの磁力で吸着して保持するだけでなく、嵌め込み穴５９を連結管５２の動きを拘束する深さに穿設し、その嵌め込み穴５９内に磁着した連結管５２を機械的に抱持するから、マグネットキャッチ５０で連結管５２を握持する強度が上がり、その結果、簡単な作業により引戸上の滑車１３間に巻装したワイヤーｗを隣接した第２引戸Ｂにしっかり連結することができる。
【００５４】
他方、第１引戸Ａ上に巻装したワイヤーｗの外側の直線索条部ｗ２は、上枠Ｆの所定まぐさ位置に固定する。その場合、本発明のワイヤー連動式引戸装置では、図２１および図２２に示すように、第１引戸Ａを移動し、ワイヤーｗの外側の直線索条部ｗ２上の接続管６５を、ワイヤーホルダ６０のホルダ部６２に近づけ、挿入口６４からホルダ部６２に嵌め入れて規制アーム６２ｂ間に保持し、これにより、ワイヤーｗの外側の直線索条部ｗ２は、上枠Ｆの所定まぐさ位置に固定する。
【００５５】
従って、引戸Ａ（Ｂ）の吊り込み時、ワイヤーｗを上枠Ｆの所定まぐさ位置に固定するときは、第１引戸Ａを移動し、ワイヤーｗ上の接続管６５を、ワイヤーホルダ６０のホルダ６２に近づけ、挿入口６４からホルダ部６２内に嵌め入れて規制アームの６２ｂで保持するだけでよく、ドライバーや圧着レンチ等の工具を使用することなく、ワイヤーｗを手間なく上枠Ｆに簡単に固設することができる。
【００５６】
図示ワイヤー連動式引戸装置では、例えば閉時、図１および図２に示すように、いま全開位置にある引戸Ａ・Ｂの何れか一側の引戸、例えば第２引戸Ｂを引き出すと、固定レール２５の案内で第２引戸Ｂが移動するのに伴い、第２引戸Ｂに連結したワイヤーｗの内側の直線索条部ｗ２が滑車１３に向かって移動しワイヤーｗを一方向に回動し始める。ワイヤーｗが一方向に回動し始めると、ワイヤーｗの外側の直線索条部ｗ１を連結した他側の第１引戸Ａが連動し、滑車１３に向かう外側の直線索条部ｗ２に引っ張られ、少し遅れて第２引戸Ｂと同じ滑車１３に向けて移動する。そして、引戸Ａ・Ｂを、順次連動的に往復移動させて通路開口Ｓを閉止する。
【００５７】
ところで、ワイヤー連動式の引戸も通常の引戸と同様に、上枠Ｆに吊り込んだ後に吊り込み高さを変更する必要がある場合がある。そこで、図示ワイヤー連動式引戸装置では、図２３（ａ）に示すように、係着手段Ｔの昇降操作部２９により引戸Ａ・Ｂの吊り込み高さ変更する。即ち、ねじ頭部４５ａの操作溝にドライバー等を差し込み、ねじ軸４５を、吊り込み高さの変更の度合いに応じて、正逆いずれかの方向に適宜回転する。すると、係着手段Ｔにおいて、ねじ軸４５に螺合したスライダ４６は、図１３に示すように、両端４６ａがそれぞれ固定の回転規制穴４７係合するので回転規制を受け、ねじ軸４５上を回転転規制穴４７の長さ範囲にわたり正逆の回転方向に応じて直線往復移動するが、両端４６ａを係着具２８のガイド穴４８にも係合するから、スライダ４６が直線移動する間、その傾斜方向に従い係着具２８が上下動する。例えば図２３（ａ）に示すように、係着具２８の高さ位置を、上枠Ｆの下面から引戸Ａ・Ｂの上端面と間の高さＨ１から、同図（ｂ）に示すように、高さＨ２に低く高さ調整することができる。
【００５８】
さて、通常、そのように引戸Ａ・Ｂの吊り込み高さが変更すると、その吊り込み高さの変更に伴い、第１引戸Ａ上に巻装したワイヤーｗが高さ方向に上下する一方、ワイヤーｗは、外側の直線索条部ｗ２が上枠Ｆのまぐさ位置に固定したワイヤーホルダ６０のホルダ部６２に保持される。しかし、本発明のワイヤー連動式引戸装置では、ワイヤー高さ調整手段Ｋは、ホルダ部６２を、第１引戸Ａ上に巻装したワイヤーｗの外側の直線索条部ｗ２と平行な長さ方向左右の動きを段差６７で規制し、厚さ方向前後の動きも規制板部６２ａと上枠Ｆとで挟んで規制する一方、幅方向上下のワイヤーｗの高さ方向には、規制板部６２ａに沿って上下動可能に接続管６５を抱持し、引戸上に巻装したワイヤーｗの高さを引戸の吊り込み高さに連動させる構成にするから、引戸Ａ・Ｂの吊り込み高さが変動すると、その吊り込み高さに追従してワイヤーｗの高さも自動的に変動する。
【００５９】
従って、図示例では、引戸の吊り込み高さが変動すると、その都度、従来のようにまぐさ位置に固定したワイヤーの固定位置を、引戸の吊り込み高さの変動に応じて調整する手間のかかる作業をなくすことができる。
【００６０】
ところで、以上の図示実施の形態では、引戸は２枚としたが、引戸を３連、４連のワイヤー連動式にすることもできる。
【符号の説明】
【００６１】
Ａ              第１引戸
Ｂ              第２引戸
Ｌ              引戸レール
Ｋ              ワイヤー高さ調整手段
Ｓ              通路開口
ｗ              ワイヤー
ｗ１            内側の直線索条部
ｗ２            外側の直線索条部
１１            止めねじ
６０            ワイヤーホルダ
６１            固定ブロック
６２            ホルダ部
６２ａ          規制板部（規制部位）
６２ｂ          規制アーム（規制部位）
６５            接続管（接続媒体）
【要約】
【課題】引戸上に巻装したワイヤーを、上枠のまぐさ位置に工具を使用して作業するビス止めやねじ締めの出来上がりに熟練度に応じてバラツキを発生せず、手間なく簡単に行うワイヤー連動式引戸装置を提供する。
【解決手段】ワイヤー高さ調整手段Ｋは、ホルダ部６２を、第１引戸Ａの上に巻装したワイヤーｗと平行な長さ方向左右の動きを段差６７で規制し、厚さ方向前後の動きを規制板部６２ａと上枠Ｆとで挟んで規制する一方、幅方向上下のワイヤーｗの高さ方向には、規制板部６２ａに沿って上下に可動に接続管６５を抱持し、引戸上に巻装したワイヤーｗの高さを引戸の吊り込み高さに連動させるから、引戸の吊り込み高さが変動すると、その引戸の高さに追従してワイヤーの高さも自動的に変動する。
【選択図】          図１７【図１】
0005792360.tif 000002
【図２】
0005792360.tif 000003
【図３】
0005792360.tif 000004
【図４】
0005792360.tif 000005
【図５】
0005792360.tif 000006
【図６】
0005792360.tif 000007
【図７】
0005792360.tif 000008
【図８】
0005792360.tif 000009
【図９】
0005792360.tif 000010
【図１０】
0005792360.tif 000011
【図１１】
0005792360.tif 000012
【図１２】
0005792360.tif 000013
【図１３】
0005792360.tif 000014
【図１４】
0005792360.tif 000015
【図１５】
0005792360.tif 000016
【図１６】
0005792360.tif 000017
【図１８】
0005792360.tif 000018
【図１９】
0005792360.tif 000019
【図２０】
0005792360.tif 000020
【図２１】
0005792360.tif 000021
【図２２】
0005792360.tif 000022
【図２３】
0005792360.tif 000023
【図１７】
0005792360.tif 000024